(57)【要約】【課題】ダイヤモンドカッターによる路面切削工事において、防音壁などの設置の必要がなく、有効な騒音対策を行うことが可能な移動式防音壁を提供する。【解決手段】本発明に係る移動式防音壁１００は、脚部に車輪が取り付けられているフレーム部材５を複数連結してなる骨格部を有し、防音シートが前記骨格部を覆うように配され、覆われた内部に移動可能な騒音源が配置されることを特徴とする。【選択図】      図５
2017179886.tif 000002
【特許請求の範囲】
【請求項１】
脚部に車輪が取り付けられているフレーム部材を複数連結してなる骨格部を有し、
防音シートが前記骨格部を覆うように配され、覆われた内部に移動可能な騒音源が配置されることを特徴とする移動式防音壁。
【請求項２】
前記防音シートは第１防音シートと透明シートと第２防音シートとが連結されてなることを特徴とする請求項１に記載の移動式防音壁。
【請求項３】
複数の前記フレーム部材の端部のフレーム部材には、透明シートが取り付けられることを特徴とする請求項１又は請求項２に記載の移動式防音壁。
【請求項４】
前記防音シートの両端に延在する第１フッ素樹脂シートと第２フッ素樹脂シートを、有することを特徴とする請求項１又は請求項２に記載の移動式防音壁。
【請求項５】
前記防音シートに開口部が設けられると共に、前記開口部にフィルタが取り付けられることを特徴とする請求項１乃至請求項４のいずれか１項に記載の移動式防音壁。
【請求項６】
前記防音シートの側面または上面に防音または遮音と記されていることを特徴とする請求項１乃至請求項５のいずれか１項に記載の移動式防音壁。
【発明の詳細な説明】
【技術分野】
【０００１】
本発明は、近隣の住宅地などに対して、道路工事におけるダイヤモンドカッターによる路面切断作業タンピングランマーによる締固作業等の小型機械による作業騒音を遮断する移動式防音壁に関する。
【背景技術】
【０００２】
アスファルト、コンクリートなどの路面を切崩する作業には、ダイヤモンドカッター（例えば、特開２００４−３６０８６７号公報など）が用いられるが、ダイヤモンドカッターによって、路面を切断する作業やタンピングランマーによる締固作業を行う時には、非常に大きな騒音が発生する。
【０００３】
特に、都市部の工事では、交通量が少ない夜間での路面切断工事等の路面での工事の機会が多く、近隣の住民からの苦情の発生要因となっている。そこで、ダイヤモンドカッターによる路面切断工事等の小型機械による工事の際には、然るべき騒音対策が求められている。
【特許文献１】特開２００４−３６０８６７号公報
【発明の概要】
【発明が解決しようとする課題】
【０００４】
しかしながら、これまで、夜間の短時間に防音壁などの設置が困難なことや、騒音源のダイヤモンドカッター等が移動するために防音壁の設置範囲が広くなることなどから、有効な騒音対策がなされていない、という問題があった。
【課題を解決するための手段】
【０００５】
この発明は、上記課題を解決するものであって、本発明に係る移動式防音壁は、脚部に車輪が取り付けられているフレーム部材を複数連結してなる骨格部を有し、防音シートが前記骨格部を覆うように配され、覆われた内部に移動可能な騒音源が配置されることを特徴とする。
【０００６】
また、本発明に係る移動式防音壁は、前記防音シートは第１防音シートと透明シートと第２防音シートとが連結されてなることを特徴とする。
【０００７】
また、本発明に係る移動式防音壁は、複数の前記フレーム部材の端部のフレーム部材には、透明シートが取り付けられることを特徴とする。
【０００８】
また、本発明に係る移動式防音壁は、前記防音シートの両端に延在する第１フッ素樹脂シートと第２フッ素樹脂シートを、有することを特徴とする。
【０００９】
また、本発明に係る移動式防音壁は、前記防音シートに開口部が設けられると共に、前記開口部にフィルタが取り付けられることを特徴とする。
【００１０】
さらに、本発明に係る移動式防音壁は、前記防音シートの側面または上面に防音または遮音と記されていることを特徴とする。
【発明の効果】
【００１１】
本発明に係る移動式防音壁１００によれば、ダイヤモンドカッターやタンピングランマー等の小型機械をカバー部材内部に収容することができ、さらにダイヤモンドカッターやタンピングランマー等の移動に伴い、移動可能に構成されているので、騒音源であるダイヤモンドカッターやタンピングランマー等を、常時、近隣住宅地などに対して遮断することができ、防音壁などの設置の必要がなく、有効な騒音対策を行うことが可能となる。また、高層ビル上からも視認性が良いような大きな字で防音または遮音と記されていることにより、工事における騒音源の存在とそれに対する防音を行っていることについて、近隣への周知を行うことができる。
【図面の簡単な説明】
【００１２】
【図１】本発明に係る移動式防音壁１００を構成するフレーム部材５を説明する図である。
【図２】伸縮機構７０を構成する棹部材７３によって連結されたフレーム部材５を示す図である。
【図３】伸縮機構７０を構成する棹部材７３によって連結されたフレーム部材５を示す図である。
【図４】複数の棹部材７３で連結されたフレーム部材５に、カバー部材８０が縫いつけられ本発明に係る移動式防音壁１００とされた図である。
【図５】本発明の実施形態に係る移動式防音壁１００の斜視図である。
【図６】本発明の他の実施形態に係る移動式防音壁１００の斜視図である。
【発明を実施するための形態】
【００１３】
以下、本発明の実施の形態を図面を参照しつつ説明するが、本発明の実施形態に係る移動式防音壁１００の構成部品や、その組み立て工程などに基づいて、移動式防音壁１００全体としての構成を把握することができるように説明を進めていく。
【００１４】
図１は本発明の実施形態に係る移動式防音壁１００を構成するフレーム部材５を説明する図であり、図１（Ａ）はフレーム部材５を正面から見た図であり、図１（Ｂ）はフレーム部材５を側面から見た図である。
【００１５】
移動式防音壁１００で用いるフレーム部材５は、鉄骨などの部材で構成されており、第１側脚部１０と、第２側脚部２０と、この間を渡すアーチ状の頂部３０とからなっている。
【００１６】
フレーム部材５の第１側脚部１０と、第２側脚部２０の接地箇所には、車輪４０が配されており、図１（Ａ）ではフレーム部材５が紙面に対して垂直方向に、また、図１（Ｂ）ではフレーム部材５が紙面の左右方向に容易に動き得るようにしている。
【００１７】
また、第１側脚部１０と、第２側脚部２０との間には、梁部材５０が設けられており、フレーム部材５の強度を上げるようにしている。本実施形態では、第１側脚部１０と、第２側脚部２０との間に渡された梁部材５０を設けるようにしているが、このような梁部材５０を設ける数、形態などについては任意とすることができる。
【００１８】
また、第１側脚部１０と第２側脚部２０には、貫通孔４３と、スリット４５とが設けられており、後述する伸縮機構７０のために利用される。
【００１９】
以上のような構成のフレーム部材５は複数準備され、棹部材７３によって連結される。本実施形態に係る移動式防音壁１００においては、５つのフレーム部材５が用いられているが、用いるフレーム部材５の数は２以上であれば任意である。
【００２０】
フレーム部材５の貫通孔４３の箇所においては、棹部材７３がフレーム部材５に対して回動するように取り付けられ、回動構造部７５とされている。また、フレーム部材５のスリット４５の箇所においては、棹部材７３の一端部が、フレーム部材５のスリット４５内で上下動するように取り付けられ、上下動構造部７７とされている。
【００２１】
上記のような構成で、両端部のフレーム部材５を互いに近づけることで、それぞれのフレーム部材５の間隔が縮まり、両端部のフレーム部材５を互いに引き離すことで、それぞれのフレーム部材５の間隔が伸びるようになっている。
【００２２】
以上のような、フレーム部材５の貫通孔４３と、スリット４５と、棹部材７３とによって、フレーム部材５の間の距離を調整可能とする機構を、伸縮機構７０と称している。また、棹部材７３によって、連結された複数のフレーム部材５を骨格部７９と称している。
【００２３】
図２及び図３は伸縮機構７０を構成する棹部材７３によって連結されたフレーム部材５を示す図であり、図２はフレーム部材５間の距離を最大とした状態を示す図であり、図３はフレーム部材５間の距離を最小とした状態を示す図である。
【００２４】
このような伸縮機構７０を有する骨格部７９を用いた本発明に係る移動式防音壁１００は、折り畳み可能で搬出入や移動が容易なものとなる。
【００２５】
以上のように、複数の棹部材７３で連結されたフレーム部材５（骨格部７９）には、カバー部材８０が縫いつけられ、本発明に係る移動式防音壁１００とされる。
【００２６】
図４は複数の棹部材７３で連結されたフレーム部材５（骨格部７９）に、カバー部材８０が縫いつけられ本発明に係る移動式防音壁１００とされた図であり、図４（Ａ）は移動式防音壁１００を正面から見た図であり、図１（Ｂ）は移動式防音壁１００を側面から見た図である。
【００２７】
また、図５は本発明の実施形態に係る移動式防音壁１００の斜視図であり、図５（Ａ）は移動式防音壁１００を道路側から見た図であり、図５（Ｂ）は移動式防音壁１００を住宅側から見た図である。
【００２８】
図４における紙面手前側を第１側方７１と定義する。また、図４における紙面奥側を第２側方７２と定義する。
【００２９】
第１側方７１から第２側方７２に亘って、カバー部材８０が縫いつけられている。このカバー部材８０は、第１側方７１から第２側方７２に向けて、第１防音シート８１と側方透明シート８３と第２防音シート８２とが連結された構造となっている。また、移動式防音壁１００を構成する両端部のフレーム部材５には、それぞれ前方透明シート８５、及び、後方透明シート８６が開閉可能に取り付けられる。
【００３０】
第１防音シート８１と第２防音シート８２とが設置する箇所においては、それぞれの防音シートはスカート状に長くしておき、地面と防音シートとの間に隙間がない構造とする。これにより、本発明に係る移動式防音壁１００からの音漏れを低減することが可能となる。
【００３１】
防音シートとしては、ポリエステル糸で製織されたものに塩化ビニル樹脂などで表面処理を施した、一般的な市販の騒音低減効果のあるものを用いることができる。また、透明シートとしては、例えば厚手の透明ポリエチレンシートなどを用いることができる。
【００３２】
本発明に係る移動式防音壁１００においては、伸縮機構７０によってフレーム部材５間の距離を最大とした状態で、カバー部材８０内の空間内に、例えばダイヤモンドカッターＣ及び、このダイヤモンドカッターＣを操作する作業員Ｏが入ることが想定されている。
【００３３】
このような状態で、作業員ＯがダイヤモンドカッターＣを押しながら、道路面の切断工事を行うと共に、不図示の補助者によってダイヤモンドカッターＣの進行と共に、移動式防音壁１００を移動させる。
【００３４】
本発明に係る移動式防音壁１００においては、自動車などが走行している道路側に第１側方７１が配され、また、住宅などの建物が存在する側に第２側方７２が配されるようにして、移動式防音壁１００を利用することを想定している。
【００３５】
移動式防音壁１００の第１側方７１における側方透明シート８３は、作業員Ｏの眼の高さあたりとなるように設定されている。これにより、ダイヤモンドカッターＣは自動車などが走行している側の確認を行うことができる。一方、移動式防音壁１００の第２側方７２には、このような透明シートは設けられていない。透明シートは防音シートに比べて遮音性が低いため、住宅などの建物が存在する側に配される第２側方７２には、あえて透明シートを設けないようにしている。
【００３６】
また、移動式防音壁１００の前方透明シート８５、及び、後方透明シート８６によって、作業員Ｏの前後の視認性は確保される。
【００３７】
以上のような本発明に係る移動式防音壁１００によれば、ダイヤモンドカッターＣ等をカバー部材８０内部に収容することができ、さらにダイヤモンドカッターＣの移動に伴い、移動可能に構成されているので、騒音源であるダイヤモンドカッターＣを、常時、近隣住宅地などに対してカバー部材８０により遮断することができ、防音壁などの設置の必要がなく、有効な騒音対策を行うことが可能となる。
【００３８】
また、本発明に係る移動式防音壁１００は、騒音源のダイヤモンドカッターＣを、カバー部材８０によって完全に覆うため、大きな騒音低減効果が期待できる。移動式防音壁１００は、設置すれば直ちに使用できるため、夜間の短時間の作業での有効性が高い。
【００３９】
なお、本実施形態においては、移動式防音壁１００は、１つの骨格部７９が用いられたものを例示したが、複数の骨格部７９を連結したものを用いてもよい。
【００４０】
次に、本発明に係る他の実施形態について説明する。図６は本発明の他の実施形態に係る移動式防音壁１００の斜視図であり、図６（Ａ）は移動式防音壁１００を道路側から見た図であり、図６（Ｂ）は移動式防音壁１００を住宅側から見た図である。
【００４１】
図６に示す実施形態が先の実施形態と異なる点は、第１防音シート８１の端部であるスカート状の部分には第１フッ素樹脂シート８７を延在させるように設け、第２防音シート８２の端部であるスカート状の部分には第２フッ素樹脂シート８８を延在させるように設けている点である。
【００４２】
このように本実施形態においては、防音シートのスカート状部の地面と接する箇所には、フッ素樹脂シート等の摩擦を低減可能な材料を利用している。これにより、地面との摩擦を減少させ、移動式防音壁１００の移動が少人数でも容易となる。
【００４３】
図６に示す実施形態が先の実施形態と異なる点は、カバー部材８０内に吸音部材９０が取り付けられている。図６の例では、吸音部材９０は第１防音シート８１に取り付けられているが、作業員Ｏの視界を遮らない限り、移動式防音壁１００内のどの一に吸音部材９０を設けても構わない。
【００４４】
本実施形態のように移動式防音壁１００の内部に吸音部材９０を設置することで、より騒音低減効果が期待できると共に内部での騒音の反響を防止し、内部の作業員Ｏへの負担を低減することが可能となる。
【００４５】
図６に示す実施形態が先の実施形態と異なる点は、第１防音シート８１又は第２防音シート８２のいずれかに開口部９３を設けて、この開口部９３にファン９７を取り付け、移動式防音壁１００内外で換気を行い得るようにする。
【００４６】
また、開口部９３には、フィルタ９５を取り付けておくことで、移動式防音壁１００内での作業に伴い発生する粉塵などを周囲に飛散させないようにすることができる。
【００４７】
以上、本発明に係る移動式防音壁１００によれば、ダイヤモンドカッターやタンピングランマー等の小型機械等をカバー部材内部に収容することができ、さらにダイヤモンドカッターやタンピングランマー等の小型機械等の移動に伴い、移動可能に構成されているので、騒音源であるダイヤモンドカッターやタンピングランマー等の小型機械等を、常時、近隣住宅地などに対して遮断することができ、防音壁などの設置の必要がなく、有効な騒音対策を行うことが可能となる。
【００４８】
また、移動式防音壁１００によれば、高層ビル上からも視認性が良いような大きな字で防音または遮音と記されていることにより、工事における騒音源の存在とそれに対する防音を行っていることについて、近隣への周知を行うことができる。
【符号の説明】
【００４９】
５・・・フレーム部材
１０・・・第１側脚部
２０・・・第２側脚部
３０・・・頂部
４０・・・車輪
４３・・・貫通孔
４５・・・スリット
５０・・・梁部材
７０・・・伸縮機構
７１・・・第１側方
７２・・・第２側方
７３・・・棹部材
７５・・・回動構造部
７７・・・上下動構造部
７９・・・骨格部
８０・・・カバー部材
８１・・・第１防音シート
８２・・・第２防音シート
８３・・・側方透明シート
８５・・・前方透明シート
８６・・・後方透明シート
８７・・・第１フッ素樹脂シート
８８・・・第２フッ素樹脂シート
９０・・・吸音部材
９３・・・開口部
９５・・・フィルタ
９７・・・ファン
１００・・・移動式防音壁
Ｏ・・・作業員
Ｃ・・・ダイヤモンドカッター
【図１】
2017179886.tif 000003
【図２】
2017179886.tif 000004
【図３】
2017179886.tif 000005
【図４】
2017179886.tif 000006
【図５】
2017179886.tif 000007
【図６】
2017179886.tif 000008